(57)【要約】【課題】商品価値や美観を高めるともに、設計の自由度を高める上で有利な表示部および電子機器を提供する。【解決手段】光ディスク装置の表示部は、透明または半透明の合成樹脂から形成された板材１６と、情報表示用の発光素子とで構成される。板材１６は、正面１６０２と上面１６０４を有している。板材１６の正面１６０２の全域および上面１６０４の全域に鉱物材料１６１２が真空蒸着によって付着されている。正面１６０２に第１、第２、第３表示箇所１６０６Ａ、１６０６Ｂ、１６０６Ｃの３つの表示箇所が設けられ、正面１６０２の裏側をなす背面１６０３と、上面１６０４の裏側をなす背面１６０５とのうち、第１、第２、第３表示箇所１６０６Ａ、１６０６Ｂ、１６０６Ｃを除く部分に板材１６を不透明にする黒色塗料による塗装１６０８が施されている。【選択図】　　　　図１
2004085667.tif 000002
【特許請求の範囲】
【請求項１】
情報の表示がなされる表示箇所を有する表示部であって、
前記表示部は、透明または半透明の合成樹脂から形成された板材と、情報表示用の発光素子とで構成され、
前記板材は平滑面からなる正面を有し、
前記正面の全域に鉱物材料が真空蒸着によって付着され、
前記板材の正面の裏側である前記板材の背面で前記表示箇所を除く箇所には、前記板材を不透明にする塗装が施され、
前記板材の背面で前記表示箇所には前記発光素子が配設されている、
ことを特徴とする表示部。
【請求項２】
表示部が設けられた筐体を備え、前記表示部は情報の表示がなされる表示箇所を有する電子機器であって、
前記表示部は、透明または半透明の合成樹脂から形成された板材と、情報表示用の発光素子とで構成され、
前記板材は平滑面からなる正面を有し、
前記正面の全域に鉱物材料が真空蒸着によって付着され、
前記板材の正面の裏側である前記板材の背面で前記表示箇所を除く箇所には、前記板材を不透明にする塗装が施され、
前記板材の背面で前記表示箇所には前記発光素子が配設されている、
ことを特徴とする電子機器。
【請求項３】
前記正面は、上下方向の高さと、この高さよりも大きな寸法の左右方向の幅を有し、前記表示箇所における前記板材の背面には、前記塗装が施されていない左右に横長の非塗装部が設けられ、前記非塗装部に臨ませて文字や数字による情報を表示する発光素子が配設されていることを特徴とする請求項１記載の表示部または請求項２記載の電子機器。
【請求項４】
前記表示箇所における前記板材の背面には、前記塗装が施されていない非塗装部が互いに間隔をおいて直線状に複数並べられて設けられ、前記発光素子は、該発光素子が発光することで前記非塗装部を明確に形取るように前記非塗装部に臨ませてそれぞれ配設されていることを特徴とする請求項１記載の表示部または請求項２記載の電子機器。
【請求項５】
前記表示箇所における前記板材の背面には、前記塗装が施されないことで文字や数字を形取った非塗装部が設けられ、前記発光素子は、該発光素子が発光することで前記形を明確に形取るように前記非塗装部に臨ませて配設されていることを特徴とする請求項１記載の表示部または請求項２記載の電子機器。
【請求項６】
前記正面には、前記塗装が施されておらずリモートコントロール用の赤外線光を前記板材の正面から背面に通過させるための窓が設けられ、前記板材の背面において前記窓に、赤外線光を通過させかつ前記板材を不透明にする塗料が塗布されていることを特徴とする請求項１記載の表示部または請求項２記載の電子機器。
【請求項７】
前記板材は、上下方向の高さよりも大きな寸法の左右方向の幅を有する正面と、この正面の上縁の全域から背面側に延びる上面を備えて側面視Ｌ字状に形成され、前記上面の裏側をなす背面に前記板材を不透明にする塗装が施されていることを特徴とする請求項１記載の表示部または請求項２記載の電子機器。
【請求項８】
前記板材の正面に文字や記号を含む表示が塗料によって形成され、前記鉱物材料は前記塗料の上から前記板材の正面の全域に付着されていることを特徴とする請求項１記載の表示部または請求項２記載の電子機器。
【請求項９】
情報の表示がなされる表示部が組み込まれた筐体を有する電子機器であって、
前記表示部の表面に文字や記号を含む表示が塗料によって形成され、
さらに、前記塗料の上から鉱物材料が真空蒸着によって付着されている、
ことを特徴とする電子機器。
【請求項１０】
筐体を有する電子機器であって、
前記筐体の表面に文字や記号を含む表示が塗料によって形成され、
さらに、前記塗料の上から鉱物材料が真空蒸着によって付着されている、
ことを特徴とする電子機器。
【発明の詳細な説明】
【０００１】
【発明の属する技術分野】
本発明は表示部および電子機器に関する。
【０００２】
【従来の技術】
電子機器においては、情報の表示がなされる表示部に透明または半透明の合成樹脂などからなる板材が設けられ、該板材の正面の裏側を構成する裏面側に情報の表示を行なう表示手段が配設され、前記板材の正面側から該板材を介して前記表示手段の表示を視認するように構成されている。
前記板材としては、その厚みの寸法が大きいほど高級感があるため、高級な電子機器では、厚みの寸法が大きな板材が用いられる。
【０００３】
【発明が解決しようとする課題】
しかしながら、厚みの寸法が大きな板材を用いた場合には、板材がスペースを占有してしまうため、表示手段を配設するスペースを確保することが難しく、設計の自由度を上げる上で不利であった。
本発明は、このような実状に鑑みてなされたものであり、その目的とするところは、商品価値や美観を高めるともに、設計の自由度を高める上で有利な表示部および電子機器を提供することにある。
【０００４】
【課題を解決するための手段】
本発明は、前記目的を達成するため、情報の表示がなされる表示箇所を有する表示部であって、前記表示部は、透明または半透明の合成樹脂から形成された板材と、情報表示用の発光素子とで構成され、前記板材は平滑面からなる正面を有し、前記正面の全域に鉱物材料が真空蒸着によって付着され、前記板材の正面の裏側である前記板材の背面で前記表示箇所を除く箇所には、前記板材を不透明にする塗装が施され、前記板材の背面で前記表示箇所には前記発光素子が配設されていることを特徴とする。
また、本発明は、表示部が設けられた筐体を備え、前記表示部は情報の表示がなされる表示箇所を有する電子機器であって、前記表示部は、透明または半透明の合成樹脂から形成された板材と、情報表示用の発光素子とで構成され、前記板材は平滑面からなる正面を有し、前記正面の全域に鉱物材料が真空蒸着によって付着され、前記板材の正面の裏側である前記板材の背面で前記表示箇所を除く箇所には、前記板材を不透明にする塗装が施され、前記板材の背面で前記表示箇所には前記発光素子が配設されていることを特徴とする。
そのため、本発明によれば、板材の正面の全域に鉱物材料が真空蒸着によって付着されるとともに、板材の表示箇所を除く箇所に不透明にする塗装が施されているため、板材を該板材の外方から見たときに、板材の厚みが大きなものとして見え、さらに、この厚みの大きな板材の内部に発光素子が埋め込まれているように見える。
また、本発明は、情報の表示がなされる表示部が組み込まれた筐体を有する電子機器であって、前記表示部の表面に文字や記号を含む表示が塗料によって形成され、さらに、前記塗料の上から鉱物材料が真空蒸着によって付着されていることを特徴とする。
また、本発明は、筐体を有する電子機器であって、前記筐体の表面に文字や記号を含む表示が塗料によって形成され、さらに、前記塗料の上から鉱物材料が真空蒸着によって付着されていることを特徴とする。
そのため、表示部または筐体に形成された表示の上に真空蒸着で鉱物材料が付着されることによって該表示に金属的な光沢を付与することができる。
【０００５】
【発明の実施の形態】
以下、本発明による表示部および電子機器の実施の形態を図面に基づいて詳細に説明する。
図２は、本発明の電子機器としての光ディスク装置の構成を示すブロック図である。
光ディスク装置１００は、スピンドルモータ１０２、光ヘッド１０４、送りモータ１０６、サーボ制御部１０８、信号処理部１１０、インターフェース部１１２、操作手段１１４、表示手段１１６、赤外線検出器１１７Ａ、リモートコントロール用インターフェース１１７Ｂ、ディスクトレイ１１８、トレイ駆動手段１２０、ＩＣカードインターフェース１２２、開閉蓋機構１２４、制御部１２６などを備えて構成されている。
前記スピンドルモータ１０２は、光ディスク１０１を回転駆動する駆動手段を構成するものである。
前記光ヘッド１０４は、回転する光ディスク１０１の信号記録面に対して光照射を行うことにより光ディスク１０１の信号記録面に対するに対する記録、再生を行うように構成されている。
前記送りモータ１０６は、前記光ヘッド１０４を光ディスク１０１の半径方向に駆動する駆動手段を構成している。
前記サーボ制御部１０８は、前記スピンドルモータ１０２の回転制御、光ヘッド１０４におけるフォーカスサーボ制御およびトラッキングサーボ制御、光ヘッド１０４の光ビームの出力制御などを行なうように構成されている。
【０００６】
前記信号処理部１１０は、信号の変調、復調及びＥＣＣ（エラー訂正符号）の付加などの処理を行う。この信号処理部１１０の指令に従って、前記光ヘッド１０４による前記記録、再生が行われる。
前記インターフェース部１１２は、前記信号処理部１１０から供給される復調された再生信号を前記光ディスク装置１００の外部に送出するように構成されている。
前記操作手段１１４は、前記光ディスク装置１００に対する操作を行なうためのものであり、後述するようにタッチスイッチや操作ボタンなどを有して構成されている。
前記表示手段１１６は、前記光ディスク装置１００の動作状態や操作の使用方法などを示す情報を表示するためのものである。
前記赤外線検出器１１７Ａは、前記光ディスク装置１００の遠隔制御を行なう外部のリモートコントロール装置から出射される制御データを示す赤外線信号を受信して検出するように構成されている。
前記リモートコントロール用インターフェース１１７Ｂは、前記赤外線検出器１１７Ａから出力される検出信号に基づいて前記制御データを生成しこの制御データを制御部１２６に供給するように構成されている。
前記ディスクトレイ１１８は、光ディスク装置１００の筐体の外部と内部の間で光ディスク１０１の移動を行なうように構成されている。
前記トレイ駆動手段１２０は、前記ディスクトレイ１１８を駆動するように構成されている。
前記ＩＣカードインターフェース１２２は、前記ディスク装置１００が動作を行なう上で必要となるデータをディスク装置１００に挿入されたＩＣカード１２１から読み取るように構成されている。
前記開閉蓋機構１２４は、後述する蓋板１０、支持機構１２、駆動手段１４などを備えて構成されている。
前記制御部１２６は、上述したスピンドルモータ１０２、サーボ制御部１０８、信号処理部１１０、インターフェース部１１２、操作部１１４、表示部１１６、トレイ駆動手段１２０、ＩＣカードインターフェース１２２、開閉蓋機構１２４の制御を司るものである。
【０００７】
図３は本発明が適用された光ディスク装置の外観を示す斜視図、図４は光ディスク装置の前面に設けられた蓋板が開放された状態を示す斜視図である。
図２、図３に示すように、光ディスク装置１００は、高さと、高さよりも大きな寸法の幅と長さを有する矩形板状の筐体１３０を有している。
前記筐体１３０の前面１３１は、上下方向の高さと、この高さよりも大きな寸法の左右方向の幅を有し、前面１３１には、表示部１３２、タッチスイッチ１３４、操作部１３６、前記蓋板１０が設けられている。
前記開閉蓋機構１２４は、前述したように蓋板１０、支持機構１２、駆動手段１４などを備えて構成されている。
前記蓋板１０は前記操作部１３６を覆えるように上下方向の高さと、この高さよりも大きな寸法の左右方向の幅を有している。
前記支持機構１２は、前記蓋板１０と前記筐体１３０とにわたって設けられ、前記蓋板１０で前記操作部１３６を覆う閉塞位置（図２）と前記蓋板１０を操作部１３６から離間させ操作部１３６を開放する開放位置（図３）との間で前記蓋板１０を開閉可能に支持している。
前記駆動手段１４は、前記制御部１２６の制御に基づき前記支持機構１２を駆動することにより前記蓋板１０を前記閉塞位置と開放位置との間で移動させるように構成されている。
【０００８】
前記タッチスイッチ１３４は、前記開閉蓋機構１２４を駆動するためのスイッチであり、前記表示部１３２の下部で前記前面１３１の前方に突出して幅方向に直線状に延在する凸条として形成されており、操作者の指が触れることでオンオフ動作するように構成され、前記操作手段１１４の一部を構成している。
前記操作部１３６は、図４に示すように、前記タッチスイッチ１３４の下方で、かつ、前記表示部１３２およびタッチスイッチ１３４よりも後方に偏位した箇所に配設されている。該操作部１３６には、前記操作手段１１４の他の部分を構成する複数個の操作ボタン１３８、前記ディスクトレイ１１８が出入するためのディスク挿入口１４０、前記ＩＣカード１２１を装着するためのＩＣカード挿入口１４２などが設けられている。
【０００９】
前記表示部１３２は、情報の表示がなされるものであって、前記表示部１３２は、透明または半透明の合成樹脂から形成された板材１６と、情報表示用の発光素子（不図示）とで構成され、前記発光素子として、複数のＬＥＤランプ、英数字を含む文字、あるいは記号などを発光して表示する文字表示器などを用いることができる。なお、本実施の形態では、板材１６は無色透明な合成樹脂で形成されているが、板材１６は透明または半透明であれば着色された合成樹脂で形成されていてもよい。
図１（Ａ）は板材の斜視図、（Ｂ）は（Ａ）のＢＢ線断面図、（Ｃ）は（Ａ）のＣＣ線断面図、（Ｄ）は（Ａ）のＤＤ線断面図、図５は板材を裏面から見た図である。
前記板材１６は、前記前面１３１の上部に幅方向に延在して左右に横長に形成され、前記情報は、前記筐体１３０の前方に向いた前記板材１６の正面に表示されるように構成されている。
前記板材１６は、上下方向の高さよりも大きな寸法の左右方向の幅を有する正面１６０２と、この正面１６０２の上縁の全域から背面側に延びる上面１６０４を備えて側面視Ｌ字状に形成され、前記板材１６の正面１６０２および上面１６０４は平滑な平坦面で形成されている。
そして、前記板材１６の正面１６０２の幅方向の中央箇所には文字や記号を含む表示としてのロゴマーク１６１０が塗料によって形成されている。本実施の形態では前記塗料として灰色のものを用いている。
さらに、前記ロゴマーク１６１０の上から前記板材１６の正面１６０２の全域および上面１６０４の全域に鉱物材料１６１２が真空蒸着によって付着（被覆、あるいはコーティング）され、これにより正面１６０２の全域および上面１６０４の全域は着色され、また金属的な光沢を有するものとなっている。このような鉱物材料１６１２として、例えば二酸化チタン、酸化ケイ素、二酸化ケイ素などを用いることができる。本実施の形態では鉱物材料１６１２として二酸化ケイ素を用いており、その結果正面１６０２の全域および上面１６０４の全域は青色に着色され、その表面は金属的な光沢を有している。
【００１０】
本実施の形態では前記正面１６０２に第１表示箇所１６０６Ａ、第２表示箇所１６０６Ｂ、第３表示箇所１６０６Ｃの３つの表示箇所が設けられている。
そして、前記正面１６０２の裏側をなす背面１６０３と、前記上面１６０４の裏側をなす背面１６０５のうち、前記第１、第２、第３表示箇所１６０６Ａ、１６０６Ｂ、１６０６Ｃを除く部分に前記板材１６を不透明にする塗料による塗装１６０８が施されている。このような塗料として例えば黒色塗料などの黒色系塗料を用いることができる。
前記第１表示箇所１６０６Ａには、上下方向の高さと、この高さよりも大きな寸法の左右方向の幅を有し、前記塗装が施されていない左右に横長の第１非塗装部１６０７Ａが形成され、文字や数字による情報を表示する前記発光素子が前記第１非塗装部１６０７Ａに臨ませて配設されている。前記板材１６の背面１６０３において前記第１非塗装部１６０７Ａには、前記文字表示器の表示光を透過させ表示光の色を変化させる塗料が塗布されている。
前記第２表示箇所１６０６Ｂには、前記塗装が施されていない小径円形状の第２非塗装部１６０７Ｂが互いに間隔をおいて直線状に複数並べられて形成されて、前記ＬＥＤランプは、該ＬＥＤランプが発光することで前記小径円形状の第２非塗装部１６０７Ｂを明確に形取るように該非塗装部１６０７Ｂに臨ませてそれぞれ配設されている。
前記第３表示箇所１６０６Ｃには、前記塗装が施されないことで文字や数字を形取った第３非塗装部１６０７Ｃが形成され、前記ＬＥＤランプは、該ＬＥＤランプが発光することで前記形を明確に形取るように前記第３非塗装部１６０７Ｃに臨ませて配設されている。
また、前記板材１６の正面１６０２には、前記塗装が施されておらずリモートコントロール用の赤外線光を前記板材の正面から背面に通過させるための窓１６０６Ｄが設けられている。前記板材１６の背面１６０３において前記窓１６０６Ｄに、赤外線光を通過させかつ前記板材１６を不透明にする塗料が塗布されている。
【００１１】
次に、本実施の形態の作用について説明する。
前記制御部１２６の制御に基づいて前記文字表示器が点灯されると、前記文字表示器の表示内容が該文字表示器に臨む前記第１非塗装部１６０７Ａを介して板材１６の正面１６０２に明確に表示される。
前記制御部１２６の制御に基づいて前記複数のＬＥＤランプのうち、前記第２表示箇所１６０６Ｂに臨んで配設されたＬＥＤランプが点灯されると、該ＬＥＤランプの光が前記第２非塗装部１６０７Ｂを介して板材１６の正面１６０２に明確に表示される。
前記制御部１２６の制御に基づいて前記複数のＬＥＤランプのうち、前記第３表示箇所１６０６Ｃに臨んで配設されたＬＥＤランプが点灯されると、該ＬＥＤランプの光が前記第３非塗装部１６０７Ｃを通過することにより前記文字が明確に形取られた状態で板材１６の正面１６０２に表示される。
また、外部の赤外線リモートコントロール装置から前記赤外線信号が光ディスク装置１００に向けて出射されると、前記赤外線信号は、前記窓１６０６Ｄを介して前記赤外線検出器１１７Ａに受信され、これにより赤外線検出器１１７Ａが前記制御信号を検出し、その制御信号をリモートコントロール用インターフェース１１７Ｂに供給する。前記リモートコントロール用インタフェース１１７Ｂから制御信号を受け取った前記制御部１２６は該制御信号に基づいて各部の制御を行なう。
【００１２】
以上説明した本実施の形態によれば次のような効果を奏することができる。
前記表示部１３２を構成する板材１６は、該板材１６の正面１６０２および上面１６０４の全域に鉱物材料が真空蒸着によって付着されこれにより着色されるとともに、前記各表示箇所１６０６Ａ、１６０６Ｂ、１６０６Ｃ、窓１６０６Ｄを除く箇所に前記塗装１６０８が施されているため、前記板材１６の外方から見たときに、板材１６の厚さを視認し難く、また、前記文字表示器、ＬＥＤランプが滅灯した場合にはさらに前記第１乃至第３非塗装部１６０７Ａ、１６０７Ｂ、１６０７Ｃの箇所が暗くなることで板材１６の厚さをさらに視認し難くなる。これにより、板材１６の厚みの寸法が見かけ上大きなものとして見えるので、光ディスク装置１００の商品価値や美観を高める上で有利となる。
また、前記板材１６の正面１６０２および上面１６０４の全域に鉱物材料１６１２が真空蒸着によって付着されるので、前記正面１６０２、上面１６０４に金属的な光沢を付与することができ、これにより、光ディスク装置１００の美観を高める上で有利となる。
また、前記板材１６の裏面１６０３、１６０５に突起やリブなどが設けられている場合であっても、前記各表示箇所１６０６Ａ、１６０６Ｂ、１６０６Ｃ、窓１６０６Ｄを除く箇所に前記塗装１６０８が施されているため、これら突起やリブも板材１６の外方から視認し難くなるため、美観を高める上で有利である。
また、前記第１、第２、第３表示箇所１６０６Ａ、１６０６Ｂ、１６０６Ｃに情報の表示がなされるため、あたかも前記板材１６の内部に埋め込まれた文字表示器やＬＥＤランプが表示を行なっているように見え、これにより使用者に視覚的な面白さや高級感を感じさせることができる。
また、前記板材１６の厚さを大きく見せることができるにも拘わらず板材１６の厚さを薄くできるので、板材１６が筐体１３０に占有するスペースを減らすことができ、これにより、板材１６の裏面１６０４に文字表示器、ＬＥＤランプ、赤外線検出器１１７Ａを配設することができ、設計の自由度を高める上で有利となる。
また、前記板材１６の正面１６０２に塗料で形成された表示としてのロゴマーク１６１０の上から鉱物材料１６１２が真空蒸着によって付着されているので、該ロゴマーク１６１０にも金属的な光沢を付与することができる。この金属的な光沢は、前記ロゴマーク１６１０を、金属粉末が塗料に入っているいわゆるメタリック塗料で形成した場合よりも品位の高いものとすることができ、光ディスク装置１００の美観を高める上で有利となる。
なお、本実施の形態では、板材１６を不透明とする塗装を黒色塗料を用いて行なったが、不透明にできる塗料であれば色は黒色に限定されない。
また、上述した本実施の形態では、光ディスク装置１００を例にとって説明したが、本発明は情報の表示がなされる表示部が設けられた筐体を有する電子機器であって、前記表示部は、透明または半透明の合成樹脂から形成された板材と、情報表示用の発光素子とで構成された電子機器に広く適用できることはもちろんである。
【００１３】
また、本実施の形態では、前記板材１６の正面１６０２に塗料により形成した表示としてのロゴマーク１６１０の上から鉱物材料１６１２を真空蒸着によって付着した場合について説明したが、前記表示を形成する部材は板材に限定されるものではない。
例えば、図６に示すように、筐体２０２を有する電子機器２００（本例ではミニディスクプレーヤー）において、前記筐体２０２の表面に文字や記号を含む表示としてのロゴマーク２０４を塗料によって形成し、さらに、前記塗料の上から鉱物材料を真空蒸着によって付着する構成とすることができる。
この場合にも、前述した実施の形態と同様に、前記ロゴマーク２０４に金属的な光沢を付与することができ、前記電子機器２００の美観を高める上で有利となる。また、前記筐体に塗料によって形成する表示はロゴマークに限定されないことは無論である。
【００１４】
【発明の効果】
以上説明したように本発明によれば、商品価値や美観を高めるともに、設計の自由度を高める上で有利な表示部および電子機器を提供することができる。
【図面の簡単な説明】
【図１】（Ａ）は本発明の実施の形態における光ディスク装置の表示部を構成する板材の斜視図、（Ｂ）は（Ａ）のＢＢ線断面図、（Ｃ）は（Ａ）のＣＣ線断面図、（Ｄ）は（Ａ）のＤＤ線断面図である。
【図２】本発明の電子機器としての光ディスク装置の構成を示すブロック図である。
【図３】本発明の実施の形態の光ディスク装置の外観を示す斜視図である。
【図４】本発明の実施の形態の光ディスク装置の前面に設けられた蓋板が開放された状態を示す斜視図である。
【図５】光ディスク装置の表示部を構成する板材を裏面から見た図である。
【図６】本発明の他の実施の形態を示す電子機器の外観図である。
【符号の説明】
１００……光ディスク装置、１３０……筐体、１３２……表示部、１６……板材、１６０８……塗装、１６１２……鉱物材料。
【図１】
2004085667.tif 000003
【図２】
2004085667.tif 000004
【図３】
2004085667.tif 000005
【図４】
2004085667.tif 000006
【図５】
2004085667.tif 000007
【図６】
2004085667.tif 000008